(57)【要約】【課題】ソケット口元部での切断が生じず高い強度保持率を得ることができ、しかも実施も容易な繊維ロープの端末締結方法を提供することにある。【解決手段】本発明の繊維ロープ端末固定具は、ソケットとピンとバンドを備え、該ソケットにはロープを通す穴を備え、該ピンには一ヶ所以上の細径部を備え、ソケット内に通した繊維ロープの端末部をばらし、ばらした繊維ロープの中にピンを差し込み、ピンの回りを繊維ロープで囲み、さらに繊維ロープの外側からピンの細径部に相当する部分に締め付け部材を掛け、締め付け部材をかけた繊維ロープ部をソケット内に戻すことを最も主要な特徴とする。【選択図】図９
2007191802.tif 000002
【特許請求の範囲】
【請求項１】
繊維ロープの端末をソケットを使用して締結する方法であって、ソケットとピンと締め付け部材を備え、該ソケットにはロープを通す穴を備え、該ピンには一ヶ所以上の細径部を備え、ソケット内に通した繊維ロープの端末部をばらし、ばらした繊維ロープの中にピンを差し込み、ピンの回りを繊維ロープで囲み、さらに繊維ロープの外側からピンの細径部に相当する部分に締め付け部材を掛け、締め付け部材をかけた繊維ロープ端末部をソケット内に戻すことを特徴とする繊維ロープ端末固定具。
【請求項２】
請求項１に記載の繊維ロープ端末固定具であって、ロープ端部付近に熱硬化性樹脂を注入硬化させることを特徴とする繊維ロープ端末固定具。
【請求項３】
請求項１に記載の繊維ロープ端末固定具であって、ロープ端部付近にエポキシ樹脂を注入硬化させることを特徴とする繊維ロープ端末固定具。
【請求項４】
請求項１から３に記載の繊維ロープ端末固定具であって、ソケットにソケットと接続する部位を持つこと特徴とする繊維ロープ端末固定具。
【発明の詳細な説明】
【技術分野】
【０００１】
本発明は、ポリエステル繊維、ポリアリレート繊維、ナイロン繊維、アラミド繊維、生分解性繊維等の合成繊維からなるロープの端末を繋留部材に固定するための繊維ロープの端末固定具に関する。
【背景技術】
【０００２】
近年、アラミド繊維に代表される高剛性・高強度の合成繊維からなるロープが、軽量性、防錆性、電気絶縁性等の優れた特性を活用するために、金属製繊維に代わって、海上ブイの繋留、電線支持、橋梁支持等、様々の用途に使用されるようになってきた。このような用途において、繊維ロープの端末を固定部材に繋留しようとすると、繊維の端末部に大きな引っ張り力が発生する。したがって、繊維ロープの端末部に大きな力が発生しても、この部分の応力集中が小さくなるような方法が要求される。  
【０００３】
そうした端末の締結法として、従来、アイスプライス、ショートプライスのほか、ソケットとよばれる金属製の筒状体にロープの端末を挿入し、熱硬化性樹脂をソケット内に注入硬化させることで固定する手法が採用されている。この場合、端末の強度をロープの強度に近づけることが重要であり、この対策として、ソケットの内部形状をテーパー状にしたり、ソケットの内面に螺旋状の溝を形成したり、ロープの端末をばらばらに解したりしていた。しかし、これらの方法を採用しても、ほとんどがソケットにロープを挿入した口元部で切断し、ロープ強度の７０〜８０％の保持率しか得られないのが実情であった。
【０００４】
また、円錐状のテーパー形状を有する嵌入部材（円錐状の楔材）を使用する方法が知られている。特開平７−１１９７９８号。繊維ロープの端末をときほぐしてテーパー状の貫通孔を持つ被嵌入部材（以下、ソケットと称する）に挿入した後、該ソケットに溶融金属を充填して鋳込むことことによって繊維ロープの端末を固定することが知られている。特開平１１−３３５９８７号、特開２０００−２３４２８４号。
【特許文献１】特開平７−１１９７９８号
【特許文献１】特開平１１−３３５９８７号
【特許文献１】特開２０００−２３４２８４号
【発明の開示】
【発明が解決しようとする課題】
【０００５】
本発明は上記課題に鑑みてなされたものであり、その目的とするところは、ソケット口元部での切断が生じず高い強度保持率を得ることができ、しかも実施も容易な繊維ロープの端末締結方法を提供することにある。
【課題を解決するための手段】
【０００６】
上記目的を達成するため本発明の繊維ロープ端末固定具は、ソケットとピンと締め付け部材を備え、該ソケットにはロープを通す穴を備え、該ピンには一ヶ所以上の細径部を備え、ソケット内に通した繊維ロープの端末部をばらし、ばらした繊維ロープの中にピンを差し込み、ピンの回りを繊維ロープで囲み、さらに繊維ロープの外側からピンの細径部に相当する部分に締め付け部材を掛け、締め付け部材をかけた繊維ロープ端末部をソケット内に戻すことを最も主要な特徴とする。
【０００７】
また、熱硬化性樹脂、あるいはエポキシ樹脂をばらした繊維ロープに注入する、あるいは、ソケットと繊維ロープ間に熱硬化性樹脂あるいはエポキシ樹脂注入するとさらに締結力がアップする。
【０００８】
繊維ロープとしては汎用の合成繊維ロープのほか、高強度低伸度繊維ロープ、生分解性繊維ロープが含まれる。
【発明の効果】
【０００９】
本発明の繊維ロープ端末固定具は、ソケット口元部での切断が生じず高い強度保持率を得ることができ、しかも実施も容易な繊維ロープの端末締結方法を提供できる。
【発明を実施するための最良の形態】
【００１０】
ピンの細径部の数を増やし、繊維ロープをばらした時ばらした一本一本のロープに熱硬化樹脂を絡め、細径部の数の締め付け部材をロープの外側から、ピンの細径部に相当する部分にかけ、ロープ端末部をソケット内に戻し、熱硬化樹脂を硬化させ、ソケットの内壁部及びピン、締め付け部材にはエッジ部を削除し、極力大きなＲの面取りを行う。
【実施例１】
【００１１】
本発明の実施形態について詳しく説明する。本実施例で説明する形状は、これを限定する物ではない。
【００１２】
図１は、ソケットの断面側視図である。２１はソケットを示し、２２は前面穴、２３はテーパー部、２４はねじ山である。ソケット２１の内部は繊維ロープが入る為、エッジ部を残さず、極力大きなＲを配することが望ましい。テーパー部２３はソケット２１に対し、別部材で作製する場合もある。
【００１３】
ネジ山２４は、ソケットと他の部材との接続用であって、図１では、ソケットの内側にあるが、ソケットの外側に配する場合もあり、ネジ以外の方法にて他部材と接続する場合もある。
【００１４】
図２は、ピンの斜視図である。３１はピンを示し、３２は最外径部、３３は細径部である。図２では細径部３３を二ヶ所持つピン３１としているが、細径部の数はこれに限定しない。ピン３１の周囲には繊維ロープが来る為、エッジ部を残さず、極力大きなＲを配することが望ましい。
【００１５】
図３は、ソケットに繊維ロープを通した状態を示す側視図である。１は繊維ロープを示している。図３では、繊維ロープ１の外形寸法に対し、ソケット２１の前面穴２２が細くなっているが、繊維ロープ１の繊維の込み具合条件による物であり、繊維ロープ１の外形より、前面穴２２が大きい場合もある。
【００１６】
図４は、図３の状態に対し、ロープ先端をばらした状態を示す側視図である。２はロープの解きほぐし部（素線）を示している。図の繊維ロープ１は、ストレート繊維の集合ロープの図となっているが、繊維ロープ１を、ストレート繊維の集合ロープに限定する物ではない。
【００１７】
図５は、図４の状態に対し、ばらした部分にピンを差し込んだ状態を示す側視図である。３１は差し込んだピンを示している。繊維ロープ端とピンの端面位置を概ね合わせることが望ましいが、これを限定する物ではない。
【００１８】
図６は、図５の状態に対し、ピンを含めた繊維ロープ端末付近にエポキシ樹脂を浸透させた状態を示す側視図である。４１は熱硬化樹脂又はエポキシ樹脂である。工程の順として、解きほぐし部（素線）２に先に熱硬化樹脂又はエポキシ樹脂４１を浸透させる場合もある。この状態において、熱硬化樹脂又はエポキシ樹脂４１は解きほぐし部（素線）２の一本一本のロープ周囲に浸透していることがのぞましい。
【００１９】
図７は、図６の状態に対し、ピンの絞り部付近に締め付け部材をかけた状態を示す側視図である。図７において、ピン３１の細径部３３に相当する、ロープの解きほぐし部（素線）２の外側から、締め付け部材５１をかけている。図７では、締め付け部材５１の断面形状を円形としているが、断面形状はこれに限るものではない。
【００２０】
締め付け部材５１は、当初Ｃ字の形状を持たせ、解きほぐし部（素線）２の外側からかけた後、締め付け部材５１にて解きほぐし部（素線）２を絞っている。この時締め付け部材５１の外形寸法はソケット２１の内径寸法以内に納める必要がある。また締め付け部材は、針金を何重にも巻きつける場合もある。
【００２１】
図８は、図７の状態に対し、ロープ先端部をソケット内に引き込んだ状態を示す側視図である。締め付け部材５１の外形寸法はソケット２１の内径寸法以内に納めているため、ソケット内に引き込むことができる。ロープ先端部をソケット内に引き込んだ状態において、熱硬化性樹脂の場合は、加熱し、熱硬化性樹脂を硬化させる。また、エポキシ樹脂の場合は硬化までの時間放置し硬化させる。
【００２２】
熱硬化樹脂又はエポキシ樹脂４１が硬化した後、繊維ロープ１をソケット２１から引き抜く方向に力を加えた場合、ロープ１の端末は、ピン３１を抱えた状態にて、ソケット２１の前面穴２２から出ようとする。しかし、繊維ロープ１の端末部は、ピン３１を抱えており、ロープが圧力によってつぶれても前面穴２２からは引き出せない。
【００２３】
図９は、図８の状態に対し、ソケットの後端部の係止部（ネジ山）２４にアイボルト６１を係止した状態を示す側視図である。６２は固定蓋を示し、６３は平ワッシャ、６４はナットを示している。図９では、ソケットの後端部の係止箇所に係止部（ネジ山）２４を配しているが、係止方法は、ネジに限る物ではない。さらに固定蓋６２も形状を限定する物ではない。固定蓋６２を円錐形状にし、アイボルト６１の代わりにボルトを固定し、ターンバックルを付け、繊維ロープ固定部と接続させる場合もある。
【産業上の利用可能性】
【００２４】
本発明の繊維ロープ端末固定具は、繊維ロープの端末を高い強度保持率を持って確実に締結でき、ガードロープ、橋梁の転落防止ロープなどに使用でき安全確保などに貢献できる。
【図面の簡単な説明】
【００２５】
【図１】ソケットの断面側視図である。
【図２】ピンの側視図である。
【図３】ソケットに繊維ロープを通した状態を示す側視図である。
【図４】図３の状態に対し、ロープ先端をばらした状態を示す側視図である。
【図５】図４の状態に対し、ばらした部分にピンを差し込んだ状態を示す側視図である。
【図６】図５の状態に対し、ピンを含めた繊維ロープ端末付近にエポキシ樹脂を浸透させた状態を示す側視図である。
【図７】図６の状態に対し、ピンの絞り部付近に締め付け部材をかけた状態を示す側視図である。
【図８】図７の状態に対し、ロープ先端部をソケット内に引き込んだ状態を示す側視図である。
【図９】図８の状態に対し、ソケットの後端部の係止部（ネジ山）２４にアイボルト６１を係止した状態を示す側視図である。
【符号の説明】
【００２６】
１    繊維ロープ
２    解きほぐし部（素線）
２１  ソケット
２２  前面穴
２３  テーパー部
２４  係止部（ネジ山）
３１  ピン
３２  最外径部
３３  細径部
４１  熱硬化樹脂又はエポキシ樹脂
５１  締め付け部材
６１  アイボルト
６２  固定蓋
６３  平ワッシャ
６４  ナット
【図１】
2007191802.tif 000003
【図２】
2007191802.tif 000004
【図８】
2007191802.tif 000005
【図９】
2007191802.tif 000006
【図３】
2007191802.tif 000007
【図４】
2007191802.tif 000008
【図５】
2007191802.tif 000009
【図６】
2007191802.tif 000010
【図７】
2007191802.tif 000011